(57)【要約】      （修正有）【課題】先に折り畳んだ一側の折れ脚部上へ他方の折れ脚部先端部を平行に重合して、突出部を無くして収容できる折れ脚テーブルを提供する。【解決手段】折れ脚テーブルは、４本の脚２１のうちそれぞれ２本を門型に連結して一体的な２組の脚部２とし、折り畳み回動自在に天板１を支えるよう脚部と天板を２つの蝶番３で連結し、一方の脚部の蝶番回動軸を脚の厚さ分天板より離れた位置に設けて回動させる。脚部と蝶番部の間に補助材を介在させてもよいし、蝶番金具を脚の長さ分長くしてもよい。【選択図】図１
0003226420.tif 000002
【実用新案登録請求の範囲】
【請求項１】
天板とその裏面に４脚を有するテーブルであって、近接する脚２本の基部を各々脚連結板で接続門型一体化して、２つの脚部を天板裏面の対向位置に配置し、それぞれの脚部と天板とを蝶番部で連結して互いの脚部を対向回動自在とするにあたり、２つの脚部が天板と平行に重合して折りたためる構成を特徴とする折れ脚テーブル。
【請求項２】
一方の脚部に設ける蝶番部の回動軸の位置を脚部の厚さ分天板より遠ざける構成を持った折れ脚テーブル。
【請求項３】
一方の脚部と蝶番部との間に脚の厚さ分の補助材を介在させるか、脚部に固定する蝶番の脚金具或いは、天板金具を脚の厚さ分長くする構成の折れ脚テーブル。
【考案の詳細な説明】
【考案の詳細な説明】
【技術分野】
【０００１】  本考案は、狭小な部屋などで使用される比較的天板の狭い椅子用テーブルであり、必要に応じて空間を得るため脚部を折りたたんで移動可能とし、また収納も嵩張らなく出来る、折れ脚テーブルに関するものである。
【背景技術】
【０００２】  必要に応じて天板裏面の脚を起立させて使用し、使用しない際には脚を天板の裏面へ添わせて収納する、いわゆる折れ脚テーブルは広く用いられている。
大人数が集まる場所、たとえば公民館などの集会所、会議室などで使用される折れ脚テーブルでは、かなりの数量が同時に使用され、また撤去収納の際の総体積を小さくするため、脚は天板裏面へ凹凸無く同一平面状に折り畳み、複数段の積層に安定して応える設計がなされている。そのため脚長は天板長さの半分以下にする等の制約はあった。【０００３】  対して、一般の家庭で使用される椅子用折れ脚テーブルは、会議用よりも小型で天板４隅の角部に丸みを持たせて美観、安全に配慮し、また脚部も天板同様木製で調度品としての性格を併せ持ち、現代の椅子の生活に伴いその天板の位置も高く構成されるものである。天板を高く構成するために脚は長めとなり、天板の寸法が小さければ、つまり小さな面積の天板の場合には折り畳んだ脚が天板長さ内に収まらず、天板裏面側に重なり合ってその先端部がはみ出すことも考えられる。折り畳みの脚は天板の４隅部裏面に設けるものであり、各々対向して天板の長さ方向、あるいは対角線上の天板中心方向に折り畳むため、折り畳んだ脚が重ならないためには、それぞれの脚は天板のほぼ半分の長さ以内である制限がある。方形の天板の中心に向けその対角線上に４脚を折り畳むものにおいては、４脚を独立して立設することになるが、それぞれの脚を折り畳み時の回動も考慮して強固に取り付ける構造が必要であり、長期間の使用では脚のぐらつきが生じるなど、実用的ではないため、ここでは天板一側のそれぞれ２脚を連結して剛性を高め、強固にした構造の折れ脚テーブルを想定し、４脚独立折り畳みのものについては考慮しない。このような折れ脚テーブルは家庭用であるため同様のテーブルを数段積み重ねて収納することに対しては考慮の必要が無いものとは言え、立てかけて収納しておく際に、一方の脚部だけ天板に添わず開き加減にあることは美観上も良くないものであるし、場所も取り、歩行の際に引っかかることも考えられる。天板範囲内に折れ脚を収容するため、折れ脚テーブルの脚を使用時には長く、不使用時には短く変化させる技術は種々提案されている（特許文献１）ものであるが、その構造は複雑であり、使用頻度が少なければ過剰な機構の採用ともなり、実用的ではない。本案折れ脚テーブルに施す技術は、常時には一般のテーブルとして使用し、撤去の必要が出た時だけに脚を折り畳んで最小の体積形状で室内家具などに接触することなく移動させ得るものであり、また、流通の段階、購入して持ち帰る際等にも比較的小さな似姿となり有効な構造である。このように常時には使用しない機能を先行技術に見られるような、複雑な機構を施して設ける必要性および経済的効率を考慮した時、本案に開示する構造で課題を解決出来るものと考える。
【先行技術文献】
【特許文献】
【０００４】
【特許文献１】特開２０１３−２４８３１８
【考案の概要】
【考案が解決しようとする課題】
【０００５】  一般的な方形天板を有し、方形短辺側の２脚がそれぞれ一体的構造となった折れ脚テーブルの移動、収納に際して、天板が広い場合、つまり天板の長さ辺が脚の長さの２倍以上ある場合には問題が無いのであるが、狭い場所で使用する小型のテーブルの場合には、天板の長さ辺が、天板短辺裏面にそれぞれ対向して設けた脚の長さの２倍に満たないことがあり、この場合、移動、収納の必要により脚を折り畳んだ時、脚先端が重なることがある。一方の脚は天板に添っているが後から折り畳んだ脚先端が先の脚に重なり合い、先端が角度をなして突出する状態である。この状態でも収納してしまえば、少し場所を取るだけで大きな問題は無いが、手近に放置、収納した場合など、歩行時に出っ張った脚部に触れてテーブルが倒れ、他の家具、床などを傷つけるとか、足を打つなどのことが懸念される。
【課題を解決するための手段】
【０００６】  本考案は家庭で使用するテーブルの天板裏面４隅部に折れ脚を設け、方形天板の一側面に位置する脚２本を連結して一体的な脚部構造とし、テーブルの移動あるいは収納の際には対向するそれぞれの折れ脚部を折り畳んで天板裏面に添わすものであり、一側の折れ脚部長さが天板の長さ辺の半分以上であっても、先に折り畳んだ一側の折れ脚部上へ他方の折れ脚部先端部を重合して突出部を無くして収容する構造を開示するものである。この脚部重合構造には２つの方法があり、一つはその重合のため一側の折れ脚部基部の回動蝶番軸の位置を折れ脚の厚さ分変えることによって両者の折り畳みのための回動基点高さが変わり、課題を解決するものである。つまり一方の脚部の回動軸は天板裏面に近い位置とし、他方の脚部の回動軸はそれより脚の厚さ分天板裏面より離れた位置とする。天板に近い位置の蝶番で回動した脚部は天板裏面近くに添い、他方の脚部先端部はその上へ重なるものである。この脚部回動の為の蝶番は、天板裏面に固定する天板金具と脚部に固定する脚金具を回動自在に回動軸で連結して成るものであり、先記した天板裏面より離れた位置の他方の脚部の蝶番には天板金具の長さが長い、つまり天板裏面に立設された状態が高いものを用いることで、回動軸の位置が天板裏面より離れることになる。よって両脚部は天板に並行して重合出来るものである。この脚部の回動には操作順序が発生するもので、先に天板に近い回動軸を持つ脚部を回動させることが必要となる。また、天板金具を長くすることにより、脚部が回動して天板を直角状態に支持するため回動した際には、そのままでは脚部端と天板に間隙が生ずるため、蝶番の脚金具と脚部の固定の際にこの間隙分固定位置をずらす必要がある。【０００７】  二つめの方法は、回動蝶番軸の位置は同等で、一側の脚部には固定する脚金具と脚部の間に脚の厚さ分の補助材を配置して固定することにより、両脚部の蝶番軸の位置が同等であっても、この補助材を配置した脚部を後で回動することにより、補助材の厚さが先の脚部の高さを解消し、両脚部の重合が成るものである。また回動蝶番のうち脚金具の長さを前記した補助材分長くしても同等効果である。この脚部の回動にも操作順序が発生するもので、先に補助材を配置しない方、あるいは長い脚金具を使用してない脚部を折り畳むことが必要となる。
【考案の効果】
【０００８】以上のように本案が開示する構成の天板と脚部の連結構成を採用すれば、折れ脚テーブルの収納が安全、容易に行えるものである。蝶番金具の機構は同等であり、その寸法だけを異ならせて２種類準備することは容易であり、何ら新たな部材を設計して準備することはないものである。また天板、脚等に用いる材料である合板を補助材として用いることも容易であり、新たな材料を選定することなく同等な効果が得られるものである。
【図面の簡単な説明】
【０００９】
【図１】本考案に係る折れ脚テーブルの実施形態を示す斜視図である。
【図２】本考案の第１の実施例の側面図である。
【図３】本考案の第１の実施例の天板金具を長くした詳細を示す斜視図である。
【図４】本考案の第２の実施例の補助材を設けた詳細を示す斜視図である。
【考案を実施するための形態】
【００１０】  以下、本考案の実施形態を説明する。本考案は折れ脚テーブルであって、その概略は天板１、脚部２および天板１と脚部２を回動自在に連結する蝶番部３より成る。天板は四隅に丸みを持たせた略方形あるいは楕円形である。天板１裏面には４本の脚が立設状態に配置されるものであるが、天板１略方形短辺側のそれぞれ２本の脚の基部間は脚連結板２２で連結して一体的に略門型に脚部２が構成される。天板１と脚部２は蝶番部３で連結される。蝶番部３は脚２１に近い門型両端位置にそれぞれの脚部２に２個ずつ配置される。またその構成は、天板１に取り付けられる天板金具３１と脚部２に取り付けられる脚金具３２および両者をつないで回動の枢軸となる回動軸３３、また脚が天板を支える状態、つまり蝶番部３が直角に開いた状態を維持固定するための固定軸３４が配置される。この固定軸３４は一方の脚部２に配置される２つの蝶番部３のうち片方に取り付ければ十分その目的を達する。蝶番部３を構成する天板金具３１は、略コ型の断面をなすよう折曲加工されており、そのコの字底辺一端および両側辺一端はそれぞれ直角に外方へ折曲されて天板１取付け用のビス穴が配置される。また両側辺他端部には脚金具３２との連結の為の回動軸３３が挿通される穴、中央部には固定軸３４橋絡支持用の穿孔がなされる。天板への取付けはコの字底辺一端と両側辺一端の折曲を天板上へ配置してビス止めするものである。
【００１１】  脚金具３２は前述の天板金具３１のコ型幅よりも広い底辺を持っており、その側辺は天板金具３１側辺の外側に重合する略コ型断面を持つもので、底辺には脚部２取付け用のビス穴を複数配置し、両側辺中央部には穿孔がなされ、回動軸３３で天板金具３１両側辺端の連結用穴を通して回動自在に結合されて蝶番部３を構成する。またこの両側辺先端部は円弧形状で、一方の側辺先端部に固定軸受け入れ溝３５がＵ字状に切欠され、この溝内に先記した天板金具３１に橋絡状態に挿通されて、固定軸受け入れ溝３５側へ突出した固定軸３４先端部を受け入れる。脚部２への取付けは底辺のビス穴でビス止めするものである。
【００１２】  以上の構成の蝶番部３で連結された天板１と脚部２であるが、通常のテーブル使用状態、つまり天板１を２つの脚部２が支持している状態では蝶番部３の両金具３１，３２は互いのコの字底を対向させた状態であり、固定軸３４先端は脚金具３２の固定軸受け入れ溝３５内に嵌入して両金具３１，３２の自由な回動を制御しているものである。
【実施例】
【００１３】  本考案の実施例を示す。第１の実施例は、使用する４つの蝶番のうち２つは蝶番部３の天板金具３１の長さが長いもの、つまり天板１に固定されるコ字状の金具の両側辺およびコ字底が脚の厚さ分長いものを使用する。この長い天板金具３１は一側の脚部２だけに使用される。よって脚金具３２と回動軸３３で連結し、蝶番部３として組み立てた際には、回動軸３３の位置が異なる。つまり他方の脚部２の蝶番部３の回動軸３３の位置より、天板１裏面からの距離が脚の厚さ分離れることとなる。よって短い天板金具３１を使用した脚部２を先に折り畳み、次に長い天板金具３１を使用した脚部２を折り畳めば、互いの脚が当接することなく天板１裏面に平行して、整然と脚の重合が出来るものである。なお、天板金具３１を長くすることにより、脚部２が回動して天板１を直角状態に支持するため回動した際には、そのままでは脚部２端と天板１に間隙が生ずるため、蝶番部３の脚金具３２と脚部２の固定の際にこの間隙分固定位置をずらす必要がある。また、４つの蝶番を同じ仕様のものを用いて、片方の脚部２の天板金具３１と天板１との間に脚の厚さ分の補助材等を組み込むことも同効果が得られる。【００１４】  第２の実施例は、４つの蝶番部３全てを同じものを用い、脚金具３２と脚部２の脚連結板２２間に補助材４を介在させるものである。この補助材４は天板、脚と同様合板などを使用し、その厚さは脚と同様とする。よって両脚部２を折り畳んだ際その平行重合が可能となるものである。またこの方法と同等の趣旨で、補助材４に代えてその厚さ分だけ長くした脚金具３２を用いることも同効果が得られるものである。【００１５】以上の構成のいずれを採用しても、脚部折り畳みの際には互いの脚部が重合するため、収納に際しては突出部がなく、家具を傷つけたり歩行の邪魔になったりしないものである。
【符号の説明】
【００１６】１    天板
２    脚部
２１  脚
２２  脚連結板
３    蝶番部
３１  天板金具
３２  脚金具
３３  回動軸
３４  固定軸
３５  固定軸受け入れ溝
４    補助材
【図１】
0003226420.tif 000003
【図２】
0003226420.tif 000004
【図３】
0003226420.tif 000005
【図４】
0003226420.tif 000006
【手続補正書】
【提出日】令和2年3月2日(2020.3.2)
【手続補正１】
【補正対象書類名】実用新案登録請求の範囲
【補正対象項目名】全文
【補正方法】変更
【補正の内容】
【実用新案登録請求の範囲】
【請求項１】
天板と前記天板の裏面に４脚有するテーブルであって、近接する脚２本の基部は、各々、脚連結板で接続門型に一体化され、２つの脚部は天板裏面の対向位置に配置され、それぞれの脚部と天板とが蝶番部で連結され、互いの脚部が対向回動された場合に、２つの脚部が天板と平行に重合して折りたためられた構成となることを特徴とする折れ脚テーブル。
【請求項２】
一方の脚部に設ける蝶番部の回動軸の位置を脚部の厚さ分天板より遠ざける構成を持ったことを特徴とする請求項１に記載した折れ脚テーブル。
【請求項３】
一方の脚部と蝶番部との間に脚の厚さ分の補助材を介在させるか、脚部に固定する蝶番の脚金具或いは、天板金具を脚の厚さ分長くする構成を特徴とする請求項１に記載した折れ脚テーブル。